(57)【要約】【課題】受信感度を向上できる電波修正時計及び電波修正時計の制御方法を提供すること。【解決手段】電波修正時計は、標準電波に応じた受信信号を出力する受信部（アンテナ２１及び同調回路２２１）と、局部発振信号を生成する局部発振部２２４と、局部発振信号及び受信信号を混合して、局部発振信号の周波数と受信信号の周波数との差分である中間周波数の中間信号を生成するミキサー部（ミキサー回路２２５）と、中心周波数を中心とする所定帯域幅の信号を中間信号から抽出する水晶フィルター２２６１と、抽出された信号に基づいて時刻情報を取得する時刻情報取得部と、標準電波に応じた局部発振信号の周波数を記憶する記憶部と、記憶部に記憶された局部発振信号の周波数に基づいて、水晶フィルター２２６１の中心周波数と中間周波数とが一致するように、局部発振部２２４により生成される局部発振信号の周波数を調整する発振周波数調整部２２Ｂと、を備える。【選択図】図３
2013178151.tif 000002
【特許請求の範囲】
【請求項１】
時刻情報を含む標準電波を受信して、受信された前記標準電波に応じた受信信号を出力する受信部と、
局部発振信号を生成する局部発振部と、
前記局部発振信号及び前記受信信号を混合して、前記局部発振信号の周波数と前記受信信号の周波数との差分である中間周波数の中間信号を生成するミキサー部と、
中心周波数を中心とする所定帯域幅の信号を前記中間信号から抽出する水晶フィルターと、
前記水晶フィルターにより抽出された信号に基づいて、前記時刻情報を取得する時刻情報取得部と、
前記標準電波に応じた前記局部発振信号の周波数を記憶する記憶部と、
前記記憶部に記憶された前記局部発振信号の周波数に基づいて、前記水晶フィルターの中心周波数と前記中間周波数とが一致するように、前記局部発振部により生成される前記局部発振信号の周波数を調整する発振周波数調整部と、を備える
ことを特徴とする電波修正時計。
【請求項２】
請求項１に記載の電波修正時計において、
前記受信部は、それぞれ搬送周波数が異なる複数種類の前記標準電波を受信可能に構成され、
前記記憶部は、前記標準電波の種類ごとに前記局部発振信号の周波数を記憶し、
前記発振周波数調整部は、前記受信部により受信される前記標準電波の種類に応じた周波数の前記局部発振信号を、前記局部発振部に生成させる
ことを特徴とする電波修正時計。
【請求項３】
請求項１又は請求項２に記載の電波修正時計において、
所定周波数の基準信号を生成する水晶発振部と、
前記基準信号に基づいて、内部時刻を計時する計時部とを備え、
前記局部発振部は、前記基準信号に基づいて前記局部発振信号を生成する
ことを特徴とする電波修正時計。
【請求項４】
請求項３に記載の電波修正時計において、
前記局部発振部は、前記基準信号を分周して前記局部発振信号を生成し、
前記発振周波数調整部は、前記局部発振部の分周比を調整して、当該局部発振部に生成させる前記局部発振信号の周波数を調整する
ことを特徴とする電波修正時計。
【請求項５】
時刻情報が含まれる標準電波を受信する受信ステップと、
局部発振信号を生成する局部発振信号生成ステップと、
受信された前記標準電波に応じた受信信号と前記局部発振信号とを混合して、前記局部発振信号の周波数と前記受信信号の周波数との差分である中間周波数の中間信号を生成する中間信号生成ステップと、
水晶フィルターにより、当該水晶フィルターの中心周波数を中心とする所定帯域幅の信号を前記中間信号から抽出する信号抽出ステップと、
抽出された前記所定帯域幅の信号に基づいて前記時刻情報を取得する時刻情報取得ステップと、を含み、
前記局部発振信号生成ステップでは、前記標準電波に応じて予め記憶部に記憶された周波数に基づいて、前記中心周波数と前記中間周波数とが一致するように周波数が調整された前記局部発振信号を生成する
ことを特徴とする電波修正時計の制御方法。
【請求項６】
請求項５に記載の電波修正時計の制御方法において、
前記記憶部には、
前記局部発振信号の周波数を変動させて得られる前記中間信号から前記水晶フィルターにより抽出された信号の信号強度が予め測定され、当該信号強度が最大となる場合の前記局部発振信号の周波数が記憶されている
ことを特徴とする電波修正時計の制御方法。
【発明の詳細な説明】
【技術分野】
【０００１】
本発明は、電波修正時計及び電波修正時計の制御方法に関する。
【背景技術】
【０００２】
従来、時刻情報を含む標準電波を受信し、当該標準電波から取得された時刻情報に基づいて内部時刻を修正する電波修正時計が知られている（例えば、特許文献１参照）。
この特許文献１に記載の電波修正時計は、いわゆるスーパーヘテロダイン方式の電波修正時計である。この電波修正時計では、アンテナにより受信された標準電波に応じた受信信号と、局部発振回路により生成された局部発振信号とがＭＩＸ回路により混合され、当該受信信号の周波数と局部発振信号の周波数との差分となる中間周波数の中間信号が生成される。この際、局部発振信号は、中間周波数が水晶フィルターのＩＦ周波数と一致する値となる周波数で発振される。この水晶フィルターにより、当該ＩＦ周波数の信号のみが抽出され、抽出された信号を検波した検波信号から時刻情報が取得される。
【先行技術文献】
【特許文献】
【０００３】
【特許文献１】特許第３５０２３７６号公報
【発明の概要】
【発明が解決しようとする課題】
【０００４】
ところで、水晶フィルターには個体ごとにばらつきがあるため、中心周波数が所定値となるように製造された水晶フィルターであっても、実際の中心周波数は当該所定値からずれる場合がある。
一方、水晶フィルターは、通過帯域幅を狭くでき高感度に構成できるが、選択度が高いため中心周波数からずれた周波数の信号が入力された場合には、水晶フィルターにより抽出される信号の強度（水晶フィルターを通過する信号の強度）が著しく低下するという特性がある。
【０００５】
例えば、中心周波数が３０ｋＨｚとなるように製造された水晶フィルターが採用されている場合で、搬送周波数が４０ｋＨｚの標準電波を受信する場合、アッパーヘテロダイン方式では７０ｋＨｚの局部発振信号が生成される。しかしながら、水晶フィルターの製造ばらつき等により、中心周波数が３０．００２ｋＨｚにずれていると、３０ｋＨｚの中間信号から抽出される信号の強度は数デシベル低下する。このような信号強度の低下は、電波修正時計では特に問題となる。
このため、水晶フィルターの個体差を補完でき、当該水晶フィルターにより抽出される信号の強度を高めて、標準電波の受信感度を向上できる構成が要望されてきた。
【０００６】
本発明の目的は、受信感度を向上できる電波修正時計及び電波修正時計の制御方法を提供することである。
【課題を解決するための手段】
【０００７】
本発明の電波修正時計は、時刻情報を含む標準電波を受信して、受信された前記標準電波に応じた受信信号を出力する受信部と、局部発振信号を生成する局部発振部と、前記局部発振信号及び前記受信信号を混合して、前記局部発振信号の周波数と前記受信信号の周波数との差分である中間周波数の中間信号を生成するミキサー部と、中心周波数を中心とする所定帯域幅の信号を前記中間信号から抽出する水晶フィルターと、前記水晶フィルターにより抽出された信号に基づいて、前記時刻情報を取得する時刻情報取得部と、前記標準電波に応じた前記局部発振信号の周波数を記憶する記憶部と、前記記憶部に記憶された前記局部発振信号の周波数に基づいて、前記水晶フィルターの中心周波数と前記中間周波数とが一致するように、前記局部発振部により生成される前記局部発振信号の周波数を調整する発振周波数調整部と、を備えることを特徴とする。
【０００８】
このような構成によれば、発振周波数調整部により参照される記憶部が設けられていることから、水晶フィルターにより抽出された信号の強度に基づいて決定された局部発振信号の周波数を記憶部に予め記憶させておくことができる。すなわち、電波修正時計の出荷前の段階で、局部発振信号の周波数を変動させて得られる中間信号から水晶フィルターにより抽出された信号の信号強度を予め測定し、当該信号強度が最大となる場合の局部発振信号の周波数を、記憶部に予め記憶させておくことができる。そして、発振周波数調整部が、当該記憶部に記憶された局部発振信号の周波数に基づいて、水晶フィルターの中心周波数と中間周波数とが一致するように、局部発振部により生成される局部発振信号の周波数を調整することで、生成される局部発振信号の周波数を適切な周波数に確実に調整できる。
【０００９】
例えば、水晶フィルターの実際の中心周波数が３０．００２ｋＨｚである場合には、発振周波数調整部による周波数調整により、局部発振部は、７０．００２ｋＨｚの局部発振信号を生成することができる。これによれば、中間信号の中間周波数を、水晶フィルターの中心周波数である３０．００２ｋＨｚに合わせることができる。
従って、水晶フィルターにより抽出される信号の強度を高めることができ、標準電波の受信感度を高めることができる。
【００１０】
また、中間信号の周波数を、個々の水晶フィルターの実際の中心周波数に合わせることができるので、高価で高精度な水晶フィルター（設定された中心周波数と実際の中心周波数とが一致する水晶フィルター）を採用せずとも、当該水晶フィルターにより抽出される信号の強度を高めることができる。従って、比較的安価な水晶フィルターを採用でき、電波修正時計の製造コストを低減できる。
【００１１】
本発明では、前記受信部は、それぞれ搬送周波数が異なる複数種類の前記標準電波を受信可能に構成され、前記記憶部は、前記標準電波の種類ごとに前記局部発振信号の周波数を記憶し、前記発振周波数調整部は、前記受信部により受信される前記標準電波の種類に応じた周波数の前記局部発振信号を、前記局部発振部に生成させることが好ましい。
このような構成によれば、受信部により受信される標準電波の種類に応じた周波数の局部発振信号を生成できる。従って、受信される標準電波が変更される場合でも、当該標準電波の受信信号から時刻情報を適切に取得でき、内部時刻を適切に修正できる。
【００１２】
本発明では、所定周波数の基準信号を生成する水晶発振部と、前記基準信号に基づいて、内部時刻を計時する計時部とを備え、前記局部発振部は、前記基準信号に基づいて前記局部発振信号を生成することが好ましい。
なお、水晶発振部が生成する基準信号の周波数としては、３２．７６８ｋＨｚを採用できる。また、計時部が当該基準信号に基づいて内部時刻を計時する際には、当該基準信号を分周した信号（例えば１Ｈｚの信号）に基づいて、内部時刻を計時する構成としてもよい。
【００１３】
このような構成によれば、計時部が内部時刻を計時する際に利用する基準信号を生成するための水晶発振部と、局部発振部が局部発振信号を生成する際に利用する基準信号を生成するための水晶発振部とをそれぞれ個別に設ける必要がない。従って、水晶発振部をそれぞれ個別に設ける場合に比べ、電波修正時計の構成の簡略化及び製造コストの低減を図ることができる他、電波修正時計の消費電力を低減できる。
【００１４】
ここで、局部発振部が基準信号に基づいて局部発振信号を生成する場合、当該局部発振部は、基準信号の周波数が比較的高い方が、標準電波に応じた受信信号の周波数（標準電波の搬送周波数）及び水晶フィルターの中心周波数に応じた局部発振信号を精度よく生成できる。このため、比較的高い周波数である３２．７６８ｋＨｚの基準信号に基づいて、局部発振部が局部発振信号を生成する場合には、設定された周波数の局部発振信号を精度よく生成できる。従って、標準電波の受信感度を確実に向上できる。
【００１５】
本発明では、前記局部発振部は、前記基準信号を分周して前記局部発振信号を生成し、前記発振周波数調整部は、前記局部発振部の分周比を調整して、当該局部発振部に生成させる前記局部発振信号の周波数を調整することが好ましい。
なお、基準信号を分周して局部発振信号を生成する局部発振部の構成としては、ＰＬＬ（Phase Locked Loop）回路及びＶＣＯ（Voltage Controlled Oscillators）の組み合わせを例示できる。この場合、発振周波数調整部により調整される局部発振部の分周比は、ＰＬＬ回路を構成するプログラマブルカウンター及び基準カウンターの各分周比が挙げられる。
このような構成によれば、局部発振信号を生成する構成として、比較的簡易な構成を採用できるので、電波修正時計の構成の簡略化を図ることができる。また、ＰＬＬ回路は比較的安価であるので、当該ＰＬＬ回路が採用される場合には、電波修正時計の製造コストの上昇を抑制できる。
【００１６】
また、本発明の電波修正時計の制御方法は、時刻情報が含まれる標準電波を受信する受信ステップと、局部発振信号を生成する局部発振信号生成ステップと、受信された前記標準電波に応じた受信信号と前記局部発振信号とを混合して、前記局部発振信号の周波数と前記受信信号の周波数との差分である中間周波数の中間信号を生成する中間信号生成ステップと、水晶フィルターにより、当該水晶フィルターの中心周波数を中心とする所定帯域幅の信号を前記中間信号から抽出する信号抽出ステップと、抽出された前記所定帯域幅の信号に基づいて前記時刻情報を取得する時刻情報取得ステップと、を含み、前記局部発振信号生成ステップでは、前記標準電波に応じて予め記憶部に記憶された周波数に基づいて、前記中心周波数と前記中間周波数とが一致するように周波数が調整された前記局部発振信号を生成することを特徴とする。
このような構成によれば、前述の電波修正時計と同様の効果を奏することができる。
【００１７】
本発明では、前記記憶部には、前記局部発振信号の周波数を変動させて得られる前記中間信号から前記水晶フィルターにより抽出された信号の信号強度が予め測定され、当該信号強度が最大となる場合の前記局部発振信号の周波数が記憶されていることが好ましい。
このような構成によれば、水晶フィルターにより抽出された信号の信号強度（振幅）の測定結果に基づいて決定された局部発振信号の周波数、すなわち、当該信号強度が最大となる場合の局部発振信号の周波数が、電波修正時計の記憶部に記憶される。このため、生成される局部発振信号の周波数を、水晶フィルターの実際の中心周波数と中間信号の中間周波数とを一致させるための周波数に確実に調整できる。従って、標準電波の受信感度を確実に高めることができる。
【００１８】
なお、局部発振信号が、前述の水晶発振部により発振された基準信号から局部発振信号を生成する構成である場合、当該水晶発振部にも個体差があり、生成される基準信号の周波数がばらつく可能性もあることから、生成される局部発振信号の周波数、ひいては、中間信号の中間周波数もばらつく可能性がある。これに対し、水晶フィルターにより抽出された信号の信号強度（振幅）の測定結果に基づいて設定された局部発振信号の周波数を記憶部に記憶させ、記憶された周波数に基づいて調整された周波数の局部発振信号を生成することにより、当該水晶発振部の個体差も補完できる。従って、標準電波の受信感度を確実に向上できる。
【図面の簡単な説明】
【００１９】
【図１】本発明の第１実施形態に係る電波修正時計の構成を示すブロック図。
【図２】前記第１実施形態における制御回路の構成を示すブロック図。
【図３】前記第１実施形態における受信回路の構成を示すブロック図。
【図４】前記第１実施形態におけるＰＬＬ回路の構成を示すブロック図。
【図５】前記第１実施形態における水晶フィルターの特性を示す図。
【図６】前記第１実施形態における中心周波数と中間周波数とがずれている場合の受信感度の差分の一例を示す図。
【図７】前記第１実施形態における局部発振信号の周波数設定方法を示すフローチャート。
【図８】前記第１実施形態における時刻修正処理を示すフローチャート。
【図９】本発明の第２実施形態に係る電波修正時計の局部発振部の構成を示すブロック図。
【発明を実施するための形態】
【００２０】
［第１実施形態］
以下、本発明の第１実施形態について、図面に基づいて説明する。
図１は、本実施形態に係る電波修正時計１の回路構成を示す図である。
本実施形態に係る電波修正時計１は、時刻情報が重畳された長波標準電波（以下、標準電波と略す場合がある）を受信し、抽出された時刻情報に基づいて内部時刻を修正するものである。この電波修正時計１は、図１に示すように、アンテナ２１、受信回路２２、制御回路２３、表示部２４、表示制御回路２５、針位置検出回路２６、二次電池２７、太陽電池２８、電源制御回路２９及び外部操作部材３０とを備える。
【００２１】
アンテナ２１は、標準電波を受信して、受信した標準電波に応じた受信信号を受信回路２２に出力する。
受信回路２２は、アンテナ２１から入力される受信信号に基づいて、ＴＣＯ（Time Code Out：タイムコード出力）信号を復調し、当該ＴＣＯ信号を制御回路２３に出力する。なお、受信回路２２の構成は、後に詳述する。
制御回路２３は、受信回路２２の動作を制御する他、当該受信回路２２から入力されるＴＣＯ信号をデコードして時刻情報であるＴＣ（Time Code）を取得し、当該ＴＣに基づいて内部時刻を修正する。この制御回路２３の構成も、後に詳述する。
【００２２】
表示部２４は、表示制御回路２５による制御の下、内部時刻を表示する。この表示部２４として、本実施形態では、文字板と、秒針、分針及び時針を含む指針と、当該指針を回転させるステップモーター及び複数の歯車とを備える構成が採用されている。しかしながら、これに限らず、液晶パネル等の表示手段を採用することも可能である。
表示制御回路２５は、制御回路２３により計時されている内部時刻を取得して、当該内部時刻を表示部２４に表示させる。
針位置検出回路２６、時刻表示部２８の指針の針位置を検出し、検出結果を制御回路２３に出力する。
【００２３】
二次電池２７は、電源制御回路２９を介して、受信回路２２、制御回路２３及び表示制御回路２５等に駆動電力を供給する。この二次電池２７は、太陽電池２８による発電が十分でない場合に、駆動電力を供給する。このような二次電池２７は、例えば、チタニウム−リチウムイオン二次電池により構成される。
太陽電池２８は、入射される光により発電し、発電電流を電源制御回路２９に出力する。この太陽電池２８には、それぞれ入射光に応じて発電する複数のセル（図示省略）が設けられている。
【００２４】
電源制御回路２９は、太陽電池２８から入力される発電電流を、電波修正時計１を構成する電子部品（例えば、受信回路２２、制御回路２３及び表示制御回路２５）に供給する他、当該発電電流を二次電池２７に供給して、当該二次電池２７を充電する。更に、電源制御回路２９は、入力される発電電流の電圧値が十分に高くない場合には、二次電池２７から供給される電流を当該電子部品に供給する。
【００２５】
外部操作部材３０は、例えば、電波修正時計１の外部に露出したリューズや操作ボタン等により構成され、利用者により操作されることで、制御回路２３に所定の操作信号を出力する。このような操作信号として、例えば、アンテナ２１で受信される標準電波の種類（例えば、日本における標準電波ＪＪＹ、アメリカ合衆国における標準電波ＷＷＶＢ、イギリスにおける標準電波ＭＳＦ、及び、ドイツにおける標準電波ＤＣＦ７７等）を示す信号や、標準電波を受信して内部時刻を修正させる旨の信号等が挙げられる。
【００２６】
［制御回路の構成］
図２は、制御回路２３の構成を示すブロック図である。
制御回路２３は、電波修正時計１全体の動作を制御する。例えば、制御回路２３は、受信回路２２を起動させるパワーオン信号を出力する他、受信回路２２を制御するための制御信号を出力する。また、制御回路２３は、後述する局部発振部２２４に基準信号を出力する。更に、制御回路２３は、受信回路２２から入力されるＴＣＯ信号をデコードして得られたＴＣに基づいて、内部時刻を修正する。
このような制御回路２３は、図２に示すように、発振回路２３１、分周回路２３２、論理緩急制御部２３３、ＴＣＯデコード部２３４、記憶部２３５、中央制御部２３６及びシリアルインターフェイス部（以下、シリアルＩＦ部と略す場合がある）２３７を備える。
【００２７】
発振回路２３１は、水晶発振部２３１１を有し、当該水晶発振部２３１１により発振される所定の基準クロック周波数（本実施形態では３２．７６８ｋＨｚ）の基準信号を出力する。この発振回路２３１により発振された基準信号は、分周回路２３２に出力される。
分周回路２３２は、発振回路２３１から入力される基準信号を分周して１Ｈｚの信号を生成し、当該信号を中央制御部２３６に出力する。また、分周回路２３２は、周波数を変更せずに、入力された基準信号を受信回路２２に出力する。
論理緩急制御部２３３は、分周回路２３２の分周比を周期的に変化させて、水晶発振部２３１１の水晶ばらつき等による基準信号の周波数の誤差を調整する。
【００２８】
ＴＣＯデコード部２３４は、受信回路２２から入力されるＴＣＯ信号をデコードして、当該ＴＣＯ信号からＴＣを抽出する。このＴＣには、日付情報及び時刻情報等が含まれる。そして、ＴＣＯデコード部２３４は、抽出したＴＣを中央制御部２３６に出力する。
なお、本実施形態では、ＴＣＯデコード部２３４は、日本の標準電波ＪＪＹ（搬送周波数：４０ｋＨｚ，６０ｋＨｚ）の他、アメリカ合衆国の標準電波ＷＷＶＢ（搬送周波数：６０ｋＨｚ）、イギリスの標準電波ＭＳＦ（搬送周波数：６０ｋＨｚ）、ドイツの標準電波ＤＣＦ７７（搬送周波数：７７．５ｋＨｚ）、及び、中国の標準電波ＢＰＣ（搬送周波数：６８．５ｋＨｚ）等、複数種類の標準電波のＴＣをデコード可能に構成されている。
【００２９】
記憶部２３５は、フラッシュメモリー及びＥＥＰＲＯＭ（Electrically Erasable Programmable Read Only Memory）等の不揮発性メモリーにより構成され、制御回路２３における制御処理に必要な各種プログラム及びデータを記憶する。例えば、記憶部２３５には、標準電波を受信する際に、当該標準電波の搬送周波数にアンテナ２１を同調させるためのデータ（すなわち、受信回路２２の後述する同調回路２２１のコンデンサーの設定データ）が記憶されている。また、当該記憶部２３５には、受信回路２２の後述する局部発振部２２４により生成される局部発振信号の周波数が、受信可能な標準電波の種類ごとに記憶されている。
【００３０】
中央制御部２３６は、制御回路２３の各構成を制御し、ひいては、電波修正時計１全体を制御する。この中央制御部２３６は、ＣＰＵ（Central Processing Unit）等を備える。この中央制御部２３６は、当該ＣＰＵが記憶部２３５に記憶されたプログラムを実行することにより、計時部２３６１、時刻修正部２３６２及び受信制御部２３６３として機能する。
【００３１】
計時部２３６１は、分周回路２３２から入力される１Ｈｚの信号に基づいて、電波修正時計１における内部時刻を計時する。
時刻修正部２３６２は、ＴＣＯデコード部２３４から入力されるＴＣに基づいて、内部時刻を修正する。
受信制御部２３６３は、受信回路２２を制御する。例えば、受信制御部２３６３は、外部操作部材３０が操作される等して、標準電波を受信して内部時刻を修正する際に、受信回路２２を起動させるパワーオン信号を当該受信回路２２に出力する。また、受信制御部２３６３は、受信される標準電波に応じた前述の設定データを記憶部２３５から取得し、受信回路２２が起動された後に、当該設定データをシリアルＩＦ部２３７を介して、受信回路２２に出力する。更に、受信制御部２３６３は、受信される標準電波に応じた局部発振信号の周波数を記憶部２３５から取得し、当該周波数を示すデータをシリアルＩＦ部２３７を介して、受信回路２２に出力する。
【００３２】
シリアルＩＦ部２３７は、受信回路２２の後述するデコード回路２２９とシリアル通信線を介して電気的に接続されており、受信制御部２３６３から入力される制御信号を、当該シリアル通信線を介してデコード回路２２９に出力する。
なお、シリアルＩＦ部２３７とデコード回路２２９との間で、双方向通信が可能な２線の同期式インターフェイスを用いた双方向シリアル通信を行うように構成してもよい。このような場合、シリアルＩＦ部２３７を介して受信制御部２３６３から制御信号が入力された受信回路２２が、受信及び認識した制御信号を当該シリアルＩＦ部２３７を介して受信制御部２３６３に再度転送（フィードバック）してもよい。これによれば、受信制御部２３６３が、出力した制御信号と入力された制御信号との差異を確認することで、より信頼性の高いシリアル通信を実施できる。
【００３３】
［受信回路の構成］
図３は、受信回路２２の構成を示すブロック図である。
受信回路２２は、前述のように、アンテナ２１から入力される受信信号からＴＣＯ信号を復調し、当該ＴＣＯ信号を制御回路２３に出力する。この受信回路２２は、図３に示すように、同調回路２２１、第１増幅回路２２２、ＡＧＣ（Auto Gain Control）回路２２３、局部発振部２２４、ミキサー回路２２５、第２増幅回路２２６、検波回路２２７、二値化回路２２８、デコード回路２２９、レジスター２２Ａ及び発振周波数調整部２２Ｂを備える。
これらのうち、デコード回路２２９は、制御回路２３から入力される制御信号をデコードして、当該制御信号により示される制御内容を取得する。この制御内容は、レジスター２２Ａに記憶される。
【００３４】
同調回路２２１は、コンデンサーを備えて構成され、アンテナ２１とともに並列共振回路を構成し、特定の周波数の電波をアンテナ２１に受信させる。これら同調回路２２１及びアンテナ２１は、本発明の受信部に相当し、本発明の受信ステップを実施する。このような同調回路２２１により、アンテナ２１で受信された標準電波が電圧信号に変換され、受信信号として第１増幅回路２２２に出力される。
【００３５】
具体的に、外部操作部材３０に対する操作に応じて、受信される標準電波の種類を示す信号が制御回路２３に入力されると、受信制御部２３６３から、当該標準電波を受信させる制御信号（記憶部２３５に記憶されている設定データのうち、該当する標準電波を受信する際の設定データが含まれる制御信号）が、デコード回路２２９に入力される。この制御信号に含まれる設定データは、デコード回路２２９によりデコードされてレジスター２２Ａに記憶される。そして、同調回路２２１が、当該設定データを読み出して、コンデンサーを設定し、標準電波を受信可能な状態にアンテナ２１を設定する。
【００３６】
なお、本実施形態では、外部操作部材３０に対する操作に応じて、受信される標準電波の種類が切り替えられる構成としたが、例えば、受信する周波数を順次切り替えて、受信可能な標準電波を自動的に検出する構成としてもよい。
また、本実施形態では、受信回路２２は、標準電波ＪＪＹ、ＷＷＶＢ、ＭＳＦ、ＤＣＦ７７及びＢＰＣを受信可能とするが、他の標準電波を受信可能としてもよい。
【００３７】
第１増幅回路２２２は、同調回路２２１から入力される受信信号を一定の振幅に増幅する。また、ＡＧＣ回路２２３は、検波回路２２７にて生成される包絡線信号の信号レベルに基づいて、第１増幅回路２２２のゲインを調整する。
【００３８】
局部発振部２２４は、ミキサー回路２２５に出力されて受信信号と混合される局部発振信号を生成する。すなわち、局部発振部２２４は、本発明の局部発振信号生成ステップを実施する。このような局部発振部２２４は、ＰＬＬ（Phase Locked Loop：位相同期）回路２２４１及びＶＣＯ（Voltage Controlled Oscillators：電圧制御発振器）２２４６を備える。
これらのうち、ＶＣＯ２２４６は、ＰＬＬ回路２２４１により調整された発振周波数の局部発振信号をミキサー回路２２５及びＰＬＬ回路２２４１に出力する。
【００３９】
図４は、ＰＬＬ回路２２４１の構成を示すブロック図である。
ＰＬＬ回路２２４１は、制御回路２３から入力される基準信号と、電圧に応じて発振周波数が変化するＶＣＯ２２４６から入力されるフィードバック信号との位相差を当該ＶＣＯ２２４６に出力することにより、入力信号と出力信号の位相を同期させて、ＶＣＯ２２４６の発振周波数を調整する。このＰＬＬ回路２２４１は、図４に示すように、プログラマブルカウンター２２４２、基準カウンター２２４３、位相比較回路２２４４及びループフィルター２２４５を備える。
【００４０】
プログラマブルカウンター２２４２及び基準カウンター２２４３は、分周器である。
これらのうち、プログラマブルカウンター２２４２は、ＶＣＯ２２４６から入力される局部発振信号をカウントし、カウント値が所定の第１基準値と一致すると、第１比較信号を位相比較回路２２４４に出力する。
基準カウンター２２４３は、制御回路２３から入力される基準信号をカウントし、カウント値が所定の第２基準値と一致すると、第２比較信号を位相比較回路２２４４に出力する。
【００４１】
位相比較回路２２４４は、第１比較信号及び第２比較信号の位相を比較して、位相誤差を示す誤差信号をループフィルター２２４５に出力する。
ループフィルター２２４５は、位相比較回路２２４４から入力される電圧信号をフィルタリングするローパスフィルターであり、不要な短周期の変動を遮断する。このループフィルター２２４５を通過した信号は、ＶＣＯ２２４６に入力される。
【００４２】
このようなＰＬＬ回路２２４１では、プログラマブルカウンター２２４２及び基準カウンター２２４３の分周比は、レジスター２２Ａに記憶された局部発振信号の周波数（記憶部２３５に記憶され、受信対象の標準電波に応じた局部発振信号の周波数）に応じて、発振周波数調整部２２Ｂにより調整される。これにより、ＶＣＯ２２４６の発振周波数を調整することができ、記憶部２３５に標準電波ごとに記憶された周波数のうち、受信対象の標準電波に応じた局部発振信号を、ＶＣＯ２２４６がミキサー回路２２５に出力できる。
【００４３】
このようにして発振周波数が調整されたＶＣＯ２２４６は、標準電波に応じた受信信号の周波数と局部発振信号の周波数との差分である中間周波数が、後述する水晶フィルター２２６１の中心周波数と一致する際の周波数の局部発振信号を、ミキサー回路２２５に出力する。
例えば、水晶フィルター２２６１の中心周波数が３０ｋＨｚであり、４０ｋＨｚの標準電波が受信される際には、ＶＣＯ２２４６は、７０ｋＨｚの局部発振信号を出力する。また、６０ｋＨｚの標準電波が受信される際には、ＶＣＯ２２４６は、９０ｋＨｚの局部発振信号を出力する。
【００４４】
図３に戻り、ミキサー回路２２５は、第１増幅回路２２２から入力される受信信号と、局部発振部２２４から入力される局部発振信号とを混合した中間信号を生成する。すなわち、ミキサー回路２２５は、本発明のミキサー部に相当し、本発明の中間信号生成ステップを実施する。この中間信号は、第２増幅回路２２６に出力される。この中間信号の周波数は、水晶フィルター２２６１の中心周波数と同じ周波数とされる。
【００４５】
第２増幅回路２２６は、水晶フィルター２２６１を備え、当該水晶フィルター２２６１の中心周波数を中心とする所定帯域幅の信号を抽出する（通過させる）とともに、抽出信号を固定のゲインで更に増幅して、検波回路２２７に出力する。すなわち、水晶フィルター２２６１は、本発明の信号抽出ステップを実施する。この水晶フィルター２２６１は、本実施形態では、中心周波数が３０ｋＨｚとなるように製造されたものである。
【００４６】
図５は、水晶フィルター２２６１の特性を示す図である。
このような水晶フィルター２２６１では、中心周波数と一致する中間信号が入力された場合の抽出信号の信号強度に対する差分が３ｄＢ以内である帯域幅は、図５に示すように、５Ｈｚ（１５０ｐｐｍ）程度である。このように、水晶フィルター２２６１では、通過帯域幅を非常に狭くすることができるので、抽出信号のＳＮ比を高めることができる。なお、このような通過帯域幅は、当該水晶フィルターに対して直列に接続されたダンピング抵抗（図示省略）の抵抗値を変更することで調整できる。
【００４７】
逆に、中心周波数と中間周波数とが一致しない場合には、これら各周波数が一致する場合に比べて、抽出信号の信号強度が著しく低下する。そして、一般的に水晶フィルターには製造ばらつき等の個体差があり、中心周波数が３０ｋＨｚとなるように製造されても、水晶フィルター２２６１の実際の中心周波数は数Ｈｚずれる場合がある。
【００４８】
図６は、中心周波数と中間周波数とがずれている場合の受信感度の差分の一例を示す図である。なお、図６において、菱形のポイントは実測値を示し、曲線は、これら実測値の近似曲線を示している。
例えば、図６においてずれ量が２Ｈｚである場合のように、実際の中心周波数が３０．００２ｋＨｚであると、生成された中間信号の中間周波数が３０ｋＨｚであっても、中心周波数が３０ｋＨｚである場合に比べて抽出信号の信号強度は略２ｄＢ低下する。更に、各周波数のずれ量が４Ｈｚである場合には、抽出信号の信号強度は略７ｄＢ低下する。このように、水晶フィルター２２６１には、中心周波数と中間周波数とがずれた場合に受信感度が急激に低下する特性があり、抽出信号のＳＮ比を高めるために水晶フィルター２２６１を狭帯域とすることは、素子ばらつきの影響を受けやすくしてしまう。
このため、実際の中心周波数に中間周波数を一致させるために、後述する発振周波数調整部２２Ｂが、局部発振部２２４を調整して、局部発振信号の周波数を調整する。これについては、後に詳述する。
【００４９】
図３に戻り、検波回路２２７は、整流器及びＬＰＦ（Low-Pass Filter）（ともに図示省略）を備え、第２増幅回路２２６から入力される抽出信号を整流及びろ波し、得られた包絡線信号を二値化回路２２８に出力する。
二値化回路２２８は、検波回路２２７から入力される包絡線信号の信号レベルと、所定の基準電圧の電圧レベルとを比較して、二値化信号であるＴＣＯ信号を生成し、当該ＴＣＯ信号を前述のＴＣＯデコード部２３４に出力する。すなわち、検波回路２２７、二値化回路２２８及びＴＣＯデコード部２３４は、本発明の時刻情報取得部に相当し、これらにより、本発明の時刻情報取得ステップが実施される。なお、二値化回路２２８は、例えば、二値化コンパレーターで構成される。
【００５０】
発振周波数調整部２２Ｂは、前述のように、水晶フィルター２２６１の実際の中心周波数に、当該水晶フィルター２２６１に入力される中間信号の中間周波数を一致させるために、受信される標準電波の種類に応じて局部発振部２２４を調整して、局部発振信号の周波数を調整する。具体的に、発振周波数調整部２２Ｂは、ＰＬＬ回路２２４１を構成するプログラマブルカウンター２２４２及び基準カウンター２２４３の分周比を調整して、ＶＣＯ２２４６により生成される局部発振信号の周波数を調整する。
この際、発振周波数調整部２２Ｂは、レジスター２２Ａに記憶された制御内容、すなわち、記憶部２３５に標準電波ごとに記憶された局部発振信号の周波数に基づいて、各カウンター２２４２，２２４３の分周比を調整して、当該周波数の局部発振信号がＶＣＯ２２４６により生成されるように調整する。
【００５１】
［局部発振信号の周波数の設定］
図７は、局部発振部２２４により生成される局部発振信号の周波数設定手順を示すフローチャートである。
記憶部２３５に標準電波ごとに記憶される局部発振信号の周波数は、以下の設定手順により設定されて、当該記憶部２３５に記憶される。この設定手順は、電波修正時計１の出荷前の段階で、受信可能な標準電波の種類ごとに行われる。
この設定手順では、図７に示すように、電波修正時計１の記憶部２３５に対して、各標準電波を受信する際のコンデンサーの設定データを書き込む他、局部発振部２２４により生成される局部発振信号の周波数を示す初期データを書き込む（ステップＳＡ１）。
【００５２】
次に、受信回路２２を起動させて、受信対象の標準電波を実際に受信させ、第２増幅回路２２６から出力された抽出信号の信号強度を測定する（ステップＳＡ２）。
具体的に、ステップＳＡ２では、ステップＳＡ１で書き込まれた初期データに基づく周波数の局部発振信号を局部発振部２２４に生成させ、この局部発振信号と、受信された標準電波に応じた受信信号とをミキサー回路２２５にて混合させた前述の中間信号を生成させる。そして、当該中間信号から第２増幅回路２２６の水晶フィルター２２６１により抽出された抽出信号をスイープして、当該抽出信号の信号強度（振幅）を測定する。
【００５３】
このステップＳＡ２の後、測定された抽出信号の信号強度が最大であるか否かを判定する（ステップＳＡ３）。この際、中心周波数及び中間周波数がそれぞれ一致する場合における抽出信号の理論上の信号強度と、測定された抽出信号の信号強度とを比較して、それぞれの差異が所定の規定値以下であれば、測定された抽出信号の信号強度が最大であると判定する。
【００５４】
このステップＳＡ３にて、測定された抽出信号の信号強度が最大ではないと判定されると、記憶部２３５に記憶されている局部発振信号の周波数を補正した補正データを当該記憶部２３５に書き込む（ステップＳＡ４）。この補正データは、例えば、既に記憶されている局部発振信号の周波数に所定値を加算或いは減算した周波数とされる。このステップＳＡ４の後、処理はステップＳＡ２に戻され、ステップＳＡ２〜ＳＡ４は、測定された抽出信号の信号強度が最大と判定されるまで繰り返される。
一方、ステップＳＡ３にて、測定された抽出信号の信号強度が最大であると判定されると、局部発振信号の周波数の設定手順は終了される。このような設定手順により、水晶フィルター２２６１の中心周波数と中間信号の中間周波数とを一致させる周波数に、局部発振信号の周波数を設定できる。
【００５５】
このような局部発振信号の周波数設定方法により、例えば、中心周波数が３０ｋＨｚとなるように製造された水晶フィルター２２６１の実際の中心周波数が３０．００２ｋＨｚであり、４０ｋＨｚの標準電波が受信される場合に、当該水晶フィルター２２６１による抽出信号の信号強度が最大となる場合の局部発振信号の周波数は７０．００２ｋＨｚと求められる。この周波数（７０．００２ｋＨｚ）が、４０ｋＨｚの標準電波を受信する際の局部発振信号の周波数として、記憶部２３５に記憶される。
このようにして記憶された局部発振信号の周波数を参照して、発振周波数調整部２２Ｂが、局部発振部２２４の分周比を調整することで、当該局部発振部２２４は、７０．００２ｋＨｚの局部発振信号を生成することとなる。これにより、４０ｋＨｚの標準電波に応じた受信信号と局部発振信号とを混合した中間信号の周波数を、水晶フィルター２２６１の実際の中心周波数である３０．００２ｋＨｚとすることができる。
【００５６】
［時刻修正処理］
図８は、電波修正時計１による時刻修正処理を示すフローチャートである。
電波修正時計１は、標準電波を受信してＴＣ（すなわち時刻情報）を取得し、内部時刻を修正する際に、以下に示す時刻修正処理を実行する。この時刻修正処理は、使用者により外部操作部材３０が操作された場合や、予め定められた時刻に内部時刻が達した場合に実行される。
この時刻修正処理では、図８に示すように、まず、受信制御部２３６３が、受信回路２２にパワーオン信号を出力して、当該受信回路２２を起動させる（ステップＳＢ０１）。
そして、受信回路２２が起動されると、受信制御部２３６３が、シリアルＩＦ部２３７に、記憶部２３５に記憶された制御内容を受信回路２２に出力させる（ステップＳＢ０２）。この制御内容には、前述のように、受信される標準電波の種類に応じた設定データや、生成される局部発振信号の周波数が含まれる。この制御内容は、デコード回路２２９によりデコードされ、レジスター２２Ａに記憶される。
【００５７】
次に、同調回路２２１が、レジスター２２Ａに記憶された設定データに基づいて、アンテナ２１により受信される標準電波を選局する（ステップＳＢ０３）。
また、発振周波数調整部２２Ｂが、レジスター２２Ａに記憶された周波数に基づいて、プログラマブルカウンター２２４２及び基準カウンター２２４３の分周比を調整し、局部発振部２２４により発振される局部発振信号の周波数を調整する（ステップＳＢ０４）。
【００５８】
この後、制御回路２３は、所定時間（例えば１分）が経過したか否かを判定し（ステップＳＢ０５）、経過していないと場合には、当該所定時間が経過するまで待機する。
一方、制御回路２３は、所定時間が経過したと判定した場合には、受信回路２２から入力されるＴＣＯ信号を取得する（ステップＳＢ０６）。
そして、制御回路２３の中央制御部２３６は、ＴＣＯデコード部２３４に入力されたＴＣＯ信号の立ち上がりタイミングが１秒間隔になったかを確認して、秒同期を確立できたか否かを判定する（ステップＳＢ０７）。この判定処理にて、秒同期を確立できないと判定されると、処理はステップＳＢ１０に移行される。
【００５９】
ステップＳＢ０７の判定処理にて、中央制御部２３６は、秒同期を確立できたと判定すると、ＴＣＯ信号に含まれるマーカーを検出する等して、分同期（フレーム同期）を確立できたか否かを判定する（ステップＳＢ０８）。この判定処理にて、分同期を確立できないと判定されると、処理はステップＳＢ１０に移行される。
一方、分同期を確立できたと判定されると、中央制御部２３６は、ＴＣＯデコード部２３４によりデコードされたＴＣを取得し、当該ＴＣが整合しているか否かを判定する（ステップＳＢ０９）。すなわち、ＴＣが、受信対象の標準電波のフォーマットに合致したものであるか否かを判定する。この判定処理にて、整合していないと判定されると、処理はステップＳＢ１０に移行され、整合していると判定されると、処理はステップＳＢ１１に移行される。
【００６０】
ステップＳＢ１０では、適正なＴＣを取得できない状態にあると判断され、受信制御部２３６３が、受信回路２２による標準電波の受信処理を終了させ（ステップＳＢ１０）、時刻修正処理が終了される。
ステップＳＢ１１では、適性なＴＣを取得できたと判断され、受信制御部２３６３が、受信回路２２による標準電波の受信処理を終了させる（ステップＳＢ１１）。そして、時刻修正部２３６２が、取得されたＴＣに基づいて、計時部２３６１により計時されている内部時刻を修正する（ステップＳＢ１２）。この後、時刻修正処理が終了される。
【００６１】
［第１実施形態の効果］
以上説明した本実施形態に係る電波修正時計１によれば、以下の効果がある。
記憶部２３５には、水晶フィルター２２６１による抽出信号の信号強度に基づいて決定された局部発振信号の周波数が予め記憶されている。すなわち、電波修正時計１の出荷前の段階で、局部発振信号の周波数を変動させて得られる中間信号から水晶フィルター２２６１により抽出された抽出信号の信号強度を予め測定し、当該信号強度が最大となる場合の局部発振信号の周波数が、記憶部２３５に予め記憶されている。そして、発振周波数調整部２２Ｂが、当該記憶部２３５に記憶された局部発振信号の周波数に基づいて、水晶フィルター２２６１の中心周波数と中間周波数とが一致するように、局部発振部２２４により生成される局部発振信号の周波数を調整する。これにより、生成される局部発振信号の周波数を適切な周波数に確実に調整できる。従って、水晶フィルター２２６１により抽出される信号の強度を高めることができ、標準電波の受信感度を高めることができる。
【００６２】
中間信号の周波数を、個々の水晶フィルター２２６１の実際の中心周波数に合わせることができるので、高価で高精度な水晶フィルターを採用せずとも、抽出信号の信号強度を高めることができる。従って、周波数ばらつきの大きい比較的安価な水晶フィルターを採用でき、電波修正時計１の製造コストを低減できる。
【００６３】
記憶部２３５には、受信部としてのアンテナ２１及び同調回路２２１により受信可能な標準電波の種類ごとに、局部発振信号の周波数が記憶されている。これによれば、局部発振部２２４が、受信される標準電波の種類に応じた周波数の局部発振信号を確実に生成できる。従って、受信される標準電波が変更される場合でも、当該標準電波の受信信号から時刻情報を適切に取得でき、内部時刻を適切に修正できる。
【００６４】
水晶発振部２３１１により発振された基準信号に基づいて、計時部２３６１が内部時刻を計時する他、局部発振部２２４が局部発振信号を生成する。これによれば、それぞれ個別に水晶発振部を設ける必要がない。従って、水晶発振部をそれぞれ個別に設ける場合に比べ、電波修正時計１の構成の簡略化及び製造コストの低減を図ることができる他、電波修正時計１の消費電力を低減できる。
【００６５】
局部発振部２２４は、水晶発振部２３１１が発振する比較的高い周波数（３２．７６８ｋＨｚ）の基準信号に基づいて局部発振信号を生成するので、設定された周波数の局部発振信号を精度よく生成できる。従って、標準電波の受信感度を確実に向上できる。
【００６６】
また、水晶フィルターと同様に水晶発振部にも個体差があり、生成される基準信号の周波数もばらつく可能性がある。例えば、水晶発振部２３１１の素子ばらつきによっては、基準信号が０．３Ｈｚ（１０ｐｐｍ）程度ばらつく。このことから、水晶発振部２３１１に起因する中間周波数のばらつきが生じる場合がある。しかしながら、論理緩急制御部２３３で補正される前の高い周波数（３２．７６８ｋＨｚ）を局部発振部２２４の基準信号に用いるため、個々の水晶発振部２３１１によって生じる基準信号のばらつきは補正できない。
これに対し、水晶フィルター２２６１による抽出信号の信号強度を予め測定した結果に基づいて設定された周波数の局部発振信号を局部発振部２２４が生成することにより、水晶発振部２３１１の個体差も補完できる。従って、標準電波の受信感度を確実に向上できる。
【００６７】
局部発振信号は、ＰＬＬ回路２２４１及びＶＣＯ２２４６により構成された局部発振部２２４により生成される。これによれば、当該局部発振信号を生成する構成として、比較的簡易な構成を採用できるので、電波修正時計１の構成を簡略化できる。また、ＰＬＬ回路は比較的安価であるので、局部発振部２２４にＰＬＬ回路２２４１を採用することにより、電波修正時計１の製造コストの上昇を抑制できる。
【００６８】
［第２実施形態］
以下、本発明の第２実施形態について説明する。
本実施形態に係る電波修正時計は、局部発振部の構成が前述の電波修正時計１と異なる。なお、以下の説明では、既に説明した部分と同一又は略同一である部分については、同一の符号を付して説明を省略する。
【００６９】
図９は、本実施形態に係る電波修正時計が備える局部発振部２２Ｃの構成を示すブロック図である。
本実施形態に係る電波修正時計は、局部発振部２２４に代えて局部発振部２２Ｃを備える他は、前述の電波修正時計１と同様の構成及び機能を有する。
この局部発振部２２Ｃは、局部発振部２２４と同様に、発振周波数調整部２２Ｂにより調整された周波数の局部発振信号を生成して、当該局部発振信号をミキサー回路２２５に出力する。すなわち、局部発振部２２Ｃは、本発明の局部発振信号生成ステップを実施する。このような局部発振部２２Ｃは、図９に示すように、ＰＬＬ回路２２Ｃ１、ＶＣＯ２２Ｃ２及びＤＤＳ（Direct Digital Synthesizer）回路２２Ｃ３を備え、当該ＤＤＳ回路２２Ｃ３は、ラッチ２２Ｃ４、加算器２２Ｃ５、メモリー２２Ｃ６、コンバーター２２Ｃ７及びＬＰＦ（Low Pass Filter）２２Ｃ８を備える。
【００７０】
ＰＬＬ回路２２Ｃ１及びＶＣＯ２２Ｃ２は、前述のＰＬＬ回路２２４１及びＶＣＯ２２４６と同様に、制御回路２３から入力される基準信号から所定周波数の信号を生成し、当該信号をラッチ２２Ｃ４に出力する。この信号は、局部発振部２２Ｃにおいては、クロック信号となる。
ラッチ２２Ｃ４及び加算器２２Ｃ５は、累積加算器（アキュムレーター）を構成する。これらラッチ２２Ｃ４及び加算器２２Ｃ５は、ＶＣＯ２２Ｃ２から入力されるクロック信号に同期して周波数設定値Ｍを累積する。これにより、当該周波数設定値Ｍに比例した速度のノコギリ波（デジタルデータ）が生成される。このノコギリ波のデータは、出力波形の位相に相当し、メモリー２２Ｃ５のアドレスとして使用される。
【００７１】
メモリー２２Ｃ６は、予め波形データ（例えば１／４周期分の波形データ）が書き込まれたＲＯＭ（Read Only Memory）である。この波形データが前述のアドレスに基づいて呼び出されることで、ＳＩＮ波形が得られる。
コンバーター２２Ｃ７は、Ｄ／Ａ変換回路（Digital to Analog Converter）であり、得られたＳＩＮ波形をアナログ変換して、ＬＰＦ２２Ｃ８に出力する。
ＬＰＦ２２Ｃ８は、コンバーター２２Ｃ７から入力される出力波形からクロック成分を除去し、これにより、発振周波数調整部２２Ｂにより調整された周波数の局部発振信号が生成される。この局部発振信号は、ミキサー回路２２５に出力され、当該ミキサー回路２２５により、受信信号と混合される。
【００７２】
なお、加算器２２Ｃ５のビット数を「ｎ」とすると、ＤＤＳ回路２２Ｃ３の発振周波数は、以下の式（１）で表される。
【００７３】
［数式］
発振周波数＝（周波数設定値Ｍ）×（クロック信号の周波数）／２ｎ    …（１）
【００７４】
このため、発振周波数調整部２２Ｂが入力信号の周波数（すなわち、ラッチ２２Ｃ４に入力される信号の周波数）及び加算器２２Ｃ５のビット数を適宜調整することで、所望の発振周波数の局部発振信号を、局部発振部２２Ｃ（ＤＤＳ回路２２Ｃ３）からミキサー回路２２５に出力できる。従って、局部発振部２２Ｃにより生成される局部発振信号の周波数を、水晶フィルター２２６１の中心周波数と中間信号の中間周波数とを一致させる周波数とすることができる。
【００７５】
［第２実施形態の効果］
以上説明した本実施形態に係る電波修正時計によれば、前述の電波修正時計１と同様の効果を奏することができる他、以下の効果がある。
局部発振部２２Ｃが、ＤＤＳ回路２２Ｃ３を備えていることから、前述の局部発振部２２４に比べて構成は複雑となるが、より高感度及び高精度な局部発振信号の周波数調整を実施できる。
【００７６】
［実施形態の変形］
本発明は前述の実施形態に限定されるものではなく、本発明の目的を達成できる範囲での変形、改良等は本発明に含まれるものである。
前記各実施形態では、電波修正時計は、局部発振部２２４，２２Ｃは、受信される標準電波に応じた受信信号の周波数より高い周波数の局部発振信号を生成するアッパーヘテロダイン方式が採用されていたが、本発明はこれに限らない。すなわち、局部発振部が、当該受信信号の周波数より低い周波数の局部発振信号を生成するロアーヘテロダイン方式を採用してもよい。
【００７７】
前記各実施形態では、標準電波の種類ごとに、上記局部発振信号の周波数設定を行うとしたが、本発明はこれに限らない。例えば、更に温度に応じた周波数設定を行ってもよい。この場合、局部発振信号を変動させるとともに環境温度を変動させて、水晶フィルター２２６１による抽出信号の信号強度を測定し、環境温度ごとに、当該信号強度が最も高くなる場合の局部発振信号の周波数を、記憶部２３５に記憶させる。そして、電波修正時計に温度センサーを設け、受信制御部２３６３が、受信される標準電波、及び、温度センサーにより検出された温度に応じた局部発振信号の周波数を、記憶部２３５から読み出して受信回路２２に出力するように構成すればよい。
【００７８】
前記各実施形態では、電波修正時計は、複数種類の標準電波を受信可能に構成されているとしたが、本発明はこれに限らない。例えば、使用する地域が予め定まっている場合等においては、１種類の標準電波のみ受信可能な構成としてもよい。また、上記種類の標準電波から選択された標準電波を受信可能に構成してもよく、他の標準電波を受信可能に構成してもよい。
【００７９】
前記各実施形態では、計時部２３６１による内部時刻の計時に利用される基準信号（分周回路２３２により分周されて１Ｈｚの信号となる基準信号）と、局部発振部２２４，２２Ｃによる局部発振信号の生成に利用される基準信号は、水晶発振部２３１１により発振されるとしたが、本発明はこれに限らない。すなわち、それぞれ個別に水晶発振部を設けてもよい。
【００８０】
前記各実施形態では、記憶部２３５には、局部発振部２２４，２２Ｃに生成させる局部発振信号の周波数が記憶されているとしたが、本発明はこれに限らない。すなわち、それぞれの標準電波の搬送周波数と、水晶フィルター２２６１の中心周波数とが記憶されていてもよい。この場合、発振周波数調整部２２Ｂが、受信対象の標準電波の搬送周波数と、水晶フィルター２２６１の中心周波数とを加算して、生成させる局部発振信号の周波数を算出し、当該周波数に基づいて局部発振部２２４，２２Ｃを調整してもよい。
【００８１】
前記各実施形態では、第２増幅回路２２６から出力されて検波回路２２７に入力される抽出信号の信号強度（振幅）を測定して、局部発振信号の周波数を設定するとしたが、本発明はこれに限らない。例えば、検波回路２２７から出力される包絡線信号の信号レベルに基づいて第１増幅回路２２２のゲインを調整するＡＧＣ回路２２３の出力電圧を測定し、当該出力電圧に基づいて、局部発振信号の周波数を設定してもよい。このような構成によれば、ＡＧＣ回路２２３から第１増幅回路２２２への出力電圧が安定するまでに時間を要するため、局部発振信号の周波数設定に要する時間が長くなるが、抽出信号の信号強度を測定する場合に比べて、測定対象（当該出力電圧）の測定を容易に実施できる。
【符号の説明】
【００８２】
１…電波修正時計、２１…アンテナ（受信部）、２２１…同調回路（受信部）、２２４，２２Ｃ…局部発振部、２２５…ミキサー回路（ミキサー部）、２２７…検波回路（時刻情報取得部）、２２８…二値化回路（時刻情報取得部）、２２Ｂ…発振周波数調整部、２３４…ＴＣＯデコード部（時刻情報取得部）、２３５…記憶部、２２６１…水晶フィルター、２３１１…水晶発振部、２３６１…計時部。
【図１】
2013178151.tif 000003
【図２】
2013178151.tif 000004
【図３】
2013178151.tif 000005
【図４】
2013178151.tif 000006
【図５】
2013178151.tif 000007
【図６】
2013178151.tif 000008
【図７】
2013178151.tif 000009
【図８】
2013178151.tif 000010
【図９】
2013178151.tif 000011